【手続補正書】
【提出日】平成21年7月13日(2009.7.13)
【手続補正１】
【補正対象書類名】特許請求の範囲
【補正対象項目名】全文
【補正方法】変更
【補正の内容】
【特許請求の範囲】
【請求項１】
モルタルの外層が形成される合成樹脂製管継手の端部の外周に、該外層の厚さとほぼ等しい幅を有する環状の熱膨張性目地を嵌着し、これを加熱された射出成型金型内にセットし、射出されるモルタルにより該合成樹脂製管継手の周囲に該熱膨張性目地と当接した該外層を形成したのち金型から取り出してモルタルを硬化させることにより該外層の端面に熱膨張性目地が付着した耐火二層管継手を製造する方法において、該射出成型金型が該熱膨張性目地と接触する部分の少なくとも一部を非加熱状態とすることを特徴とする熱膨張性目地付耐火二層管継手の製造方法。
【請求項２】
モルタルの外層が形成される合成樹脂製管継手の端部の外周に、該外層の厚さとほぼ等しい幅を有する環状の熱膨張性目地を嵌着し、これを加熱された射出成型金型内にセットし、射出されるモルタルにより該合成樹脂製管継手の周囲に該熱膨張性目地と当接した該外層を形成したのち金型から取り出してモルタルを硬化させることにより該外層の端面に熱膨張性目地が付着した耐火二層管継手を製造する方法において、該環状の熱膨張性目地がモルタルの外層の端面と接する裏面に、複数の凹穴を間隔を存して形成し、射出されるモルタルの一部が該凹穴内へ進入した状態でモルタルを硬化させることで該目地を該外層の端面に固定したことを特徴とする熱膨張性目地付耐火二層管継手の製造方法。
【請求項３】
モルタルの外層が形成される合成樹脂製管継手の端部の外周に、該外層の厚さとほぼ等しい幅を有する環状の熱膨張性目地を嵌着し、これを加熱された射出成型金型内にセットし、射出されるモルタルにより該合成樹脂製管継手の周囲に該熱膨張性目地と当接した該外層を形成したのち金型から取り出してモルタルを硬化させることにより該外層の端面に熱膨張性目地が付着した耐火二層管継手を製造する方法において、該環状の熱膨張性目地に表裏を貫通する透孔を形成し、射出されるモルタルの一部を該透孔を介して該目地の表面へ滲出させた状態で硬化することにより該目地を該外層の端面に固定したことを特徴とする熱膨張性目地付耐火二層管継手の製造方法。
【請求項４】
モルタルの外層が形成される合成樹脂製管継手の端部の外周に、該外層の厚さとほぼ等しい幅を有する環状の熱膨張性目地を嵌着し、これを加熱された射出成型金型内にセットし、射出されるモルタルにより該合成樹脂製管継手の周囲に該熱膨張性目地と当接した該外層を形成したのち金型から取り出してモルタルを硬化させることにより該外層の端面に熱膨張性目地が付着した耐火二層管継手を製造する方法において、該環状の熱膨張性目地の周縁に切り欠き透孔を形成し、射出されるモルタルの一部を該切り欠き透孔を介して該目地の表面へ滲出させた状態で硬化することにより該目地を該外層の端面に固定したことを特徴とする熱膨張性目地付耐火二層管継手の製造方法。
【請求項５】
モルタルの外層が形成される合成樹脂製管継手の端部の外周に、該外層の厚さとほぼ等しい幅を有する環状の熱膨張性目地を嵌着し、これを加熱された射出成型金型内にセットし、射出されるモルタルにより該合成樹脂製管継手の周囲に該熱膨張性目地と当接した該外層を形成したのち金型から取り出してモルタルを硬化させることにより該外層の端面に熱膨張性目地が付着した耐火二層管継手を製造する方法において、該環状の熱膨張性目地がモルタルの外層の端面と接する裏面に環状の凹溝を形成し、射出されるモルタルの一部が該凹溝内へ進入した状態でモルタルを硬化させることで該目地を該外層の端面に固定したことを特徴とする熱膨張性目地付耐火二層管継手の製造方法。
【請求項６】
上記環状の凹溝の外側の壁面を凹溝の開口部を広げるように凹溝の外側へ傾斜した斜面に形成し、該凹溝の内側の壁面を凹溝の開口部を狭めるように凹溝の内側へ傾斜したオーバーハング状の斜面に形成したことを特徴とする請求項５に記載の熱膨張性目地付耐火二層管継手の製造方法。
【請求項７】
上記熱膨張性目地の環状穴を、該合成樹脂製管継手の端部寄りの外側では該継手の外径にほぼ等しく形成するとともに該継手の中間部寄りの内側では径を拡大させたテーパー穴に形成し、合成樹脂製管継手の周面と該環状穴との間にモルタル進入空間を設けたことを特徴とする請求項１乃至５のいずれか１項に記載の熱膨張性目地付耐火二層管継手の製造方法。
【請求項８】
上記射出成型金型が該熱膨張性目地と接触する部分の少なくとも一部を非加熱状態とすることを特徴とする請求項２乃至５のいずれか１項に記載の熱膨張性目地付耐火二層管継手の製造方法。
【請求項９】
上記熱膨張性目地にエポキシ樹脂を含有したものを使用し、モルタルに普通ポルトランドセメントを含有したものを使用することを特徴とする請求項１から5のいずれか１項に記載の熱膨張性目地付耐火二層管継手の製造方法。
【請求項１０】
上記熱膨張性目地のエポキシ樹脂の組成分は３５±５質量％であり、モルタルの普通ポルトランドセメントの組成分は４５±１０質量％であることを特徴とする請求項８に記載の熱膨張性目地付耐火二層管継手の製造方法。
【請求項１１】
射出成型により合成樹脂製管継手の周囲に形成されたモルタルの外層の端面に取り付けされる耐火二層管継手用の環状の熱膨張性目地において、該モルタルの外層の端面と接する該熱膨張性目地の裏面に、射出されたモルタルが進入して硬化することにより該熱膨張性目地を該外層の端面に固定するための凹穴を間隔を存して複数形成したことを特徴とする耐火二層管継手用熱膨張性目地。
【請求項１２】
射出成型により合成樹脂製管継手の周囲に形成されたモルタルの外層の端面に取り付けされる耐火二層管継手用の環状の熱膨張性目地において、該環状の熱膨張性目地の表裏を貫通して形成した透孔であって、射出されたモルタルの一部が該透孔を介して該目地の表面へ滲出した状態で硬化することにより該目地を該外層の端面に固定するための透孔を有することを特徴とする耐火二層管継手用熱膨張性目地。
【請求項１３】
射出成型により合成樹脂製管継手の周囲に形成されたモルタルの外層の端面に取り付けされる耐火二層管継手用の環状の熱膨張性目地において、該環状の熱膨張性目地の周縁に形成した切り欠き透孔であって、射出されたモルタルの一部が該切り欠き透孔を介して該目地の表面へ滲出した状態で硬化することにより該目地を該外層の端面に固定するための切り欠き透孔を有することを特徴とする耐火二層管継手用熱膨張性目地。
【請求項１４】
射出成型により合成樹脂製管継手の周囲に形成されたモルタルの外層の端面に取り付けされる耐火二層管継手用の環状の熱膨張性目地において、該モルタルの外層の端面と接する該熱膨張性目地の裏面に、射出されたモルタルの一部が進入した状態でモルタルが硬化することにより該目地を該外層の端面に固定するための環状の凹溝を形成したことを特徴とする耐火二層管継手用熱膨張性目地。
【請求項１５】
上記環状の凹溝の外側の壁面を凹溝の開口部を広げるように凹溝の外側へ傾斜した斜面に形成し、該凹溝の内側の壁面を凹溝の開口部を狭めるように凹溝の内側へ傾斜したオーバーハング状の斜面に形成したことを特徴とする請求項１４に記載の耐火二層管継手用熱膨張性目地。
【請求項１６】
上記熱膨張性目地の環状穴を、該合成樹脂製管継手の端部寄りの外側では該継手の外径にほぼ等しく形成するとともに該継手の中間部寄りの内側では径を拡大させたテーパー穴に形成し、合成樹脂製管継手の周面と該環状穴との間にモルタル進入空間を設けたことを特徴とする請求項１１乃至１４のいずれか１項に記載の耐火二層管継手用熱膨張性目地。
【手続補正２】
【補正対象書類名】明細書
【補正対象項目名】００１６
【補正方法】変更
【補正の内容】
【００１６】
該熱膨張性目地としてエポキシ樹脂を含有したものを使用し、モルタルに普通ポルトランドセメントを含有したものを使用し、好ましくは該熱膨張性目地のエポキシ樹脂の組成分を３５±５質量％、モルタルの普通ポルトランドセメントの組成分を４５±１０質量％とすることで目地と外層の接合状態が強固になる。該熱膨張性の目地の裏面に形成した凹穴や、該熱膨張性目地の表裏を貫通して形成した透孔、熱膨張性目地の周縁に形成した切り欠き透孔、或いは該裏面に形成した環状の凹溝には射出されたモルタルが進入して硬化する。
【手続補正３】
【補正対象書類名】明細書
【補正対象項目名】００２４
【補正方法】変更
【補正の内容】
【００２４】
該熱膨張性目地にエポキシ樹脂を含有したものを使用し、モルタルに普通ポルトランドセメントを含有したものを使用すると、該外層と該目地とのなじみがよくなって両者の接合が強固になり、熱膨張性目地のエポキシ樹脂の組成分を３５±５質量％とし、モルタルの普通ポルトランドセメントの組成分を４５±１０質量％とすると、大きな接合状態が得られ、目地を貼り付ける作業が要らず、軽量で丈夫な耐火二層管継手が得られる。そして、該熱膨張性の目地の裏面に形成した凹穴や、該熱膨張性目地の表裏を貫通して形成した透孔、熱膨張性目地の周縁に形成した切り欠き透孔、或いは該裏面に形成した環状の凹溝には、射出されたモルタルが進入するので本発明の方法を適切に実施できる。